Podtech/llm-jp-corpus-v4-ja_patent huggingface dataset:
(57)【要約】      （修正有）【課題】小型の超音波振動子から超音波を発生するようにした円筒形の携帯用超音波発生装置を提供するものである。【解決手段】小型の発振器と小型の超音波振動子がと小型の電池が電気的に接続され、樹脂などで成形された小型の円筒形の本体にて構成されてなる防水性の携帯用超音波発生装置である。小型の超音波発生装置として構成することにより、携帯が可能で、海外旅行中や出張中、また、キャンプなどのアウトドアにおける携帯の洗濯・洗浄器として効果を発揮するものである。【選択図】図１
2005329387.tif 000002
【特許請求の範囲】
【請求項１】
振動盤と固定する小型の超音波振動子と、該超音波振動子に高周波を印加する小型の発振器と、該発振器に電力を供給する小型の電池との一体を電気的に接続して、円筒状の本体内に構成してなることを特徴とする携帯用超音波発生装置。
【請求項２】
小型の超音波振動子に固定される振動盤が、一乃至複数個設けてなることを特徴とする請求項１記載の携帯用超音波発生装置。
【請求項３】
携帯用超音波発生装置が防水耐性としてシーリングされてなることを特徴とする請求項１〜２記載の携帯用超音波発生装置。
【発明の詳細な説明】
【技術分野】
【０００１】  本発明は、超音波発生装置に関するもので、さらに詳しくは、小型の電池で小型の発振器から超音波を発生するように構成した小型の円筒状の携帯用超音波発生装置を提供するものである。
【背景技術】
【０００２】  従来から、超音波発生装置としては、工業用から一般家庭用まで多種多様の機種が提案され、また、該超音波の機能を活用した種々の用途が提案されている。
特に、一般家庭向けの物としては、洗浄液を含ませた洗濯物に対して垂直方向の超音波振動を与える構成とした超音波洗浄機（例えば特許文献１参照）。小型でありながら洗浄できる層を有し、入れ歯を簡便に洗浄できる携帯に適した超音波洗浄機（例えば特許文献２参照）。その他、太陽電池と超音波の機構とを薄型のカード状にて構成させて、ポケットに入れて持ち歩くことができるカード型超音波発生装置（例えば特許文献３参照）。などがある。
【特許文献１】  特開２０００−１５７９４１号  公報
【特許文献２】  特開２００１−２５７１６号  公報
【特許文献３】  特開平１０−２２４８９６号  公報
【発明の開示】
【発明が解決しようとする課題】
【０００３】  しかしながら、これら従来の超音波発生装置では、その何れにも一長一短があり、充分に満足できるものでなかった。
例えば、特許文献で言う特開２０００−１５７９４１号公報は洗濯物の汚れのひどい部分の洗浄機であり、携帯には不向きな構造である。特開２００１−２５７１６号公報は携帯用入れ歯洗浄機に過ぎず限られた用途のものでしかない。また、特開平１０−２２４８９６号は、特殊な部品や材料を使ったケース型超音波発生装置であり、コストの高い使い捨てタイプの物で、酒類の改質などをねらったコースター的用途のもので微弱超音波でしかなかった。
【課題を解決するための手段】
【０００４】  本発明は、小型の超音波振動子から超音波を強力に発生するようにした円筒状の携帯用超音波発生装置を提供するものである。
即ち、本発明は、一乃至複数個の振動盤と固定する小型の超音波振動子と、該超音波振動子に高周波を印加する小型の発振器と、該発振器に電力を供給する小型の電池との一体を電気的に接続して、防水耐性の円筒状の本体内に収納・構成してなることを特徴とする携帯用超音波発生装置である
【発明の効果】
【０００５】  本発明では、小型の携帯用超音波発生装置として構成することにより、小型で且つ軽量で持ち運びに大変便利なものとなる。したがって、本発明の携帯用超音波発生装置の用途として、特に、海外旅行中や出張中、また、キャンプなどのアウトドアでの携帯用洗濯・洗浄器として活躍し得るものである。その他、家庭での洗濯に際し、洗濯物と一緒に本発明の超音波発生装置もネットに入れて、洗濯機にかけることにより、洗濯機の流水作用と本発明の超音波振動が相乗して短時間で洗濯物がきれいになる。
【発明が実施するための最良の形態】
【０００６】    以下、図面を参照しつつ、本発明の一実施例により詳細に説明する。
【実施例１】
【０００７】  図１は本発明の実施態様の一例を概略的に示す、携帯用超音波発生装置であり、図２は図１に示す携帯用超音波発生装置Ａ−Ａ断面図の説明図である。
図中、１は携帯用に小型化した超音波発生装置の本体であり、２は小型の発振器である。該発振器は携帯用超音波発生装置の使用目的・用途に応じて、その共振周波数は適宜に選択して調整できるが、概ね、２０ＫＨｚ〜１００ＫＨｚ程度を選択するとき、本発明の目的とする洗濯・洗浄効果が上がる。３は小型の超音波振動子である。そして、４は振動盤であり、本体には一乃至複数個からなる振動盤を設けてなり、３の超音波振動子に固定されている。該振動盤４は被振動物に効果的に且つ強力に振動を伝えるために、円筒状の本体の平面、底面その他側面など、複数箇所に設けることが好ましい。５は給源の電池であり、８は電源のオン・オフのスイッチである。これら本発明の機構は図示しないリード線で電気的に接続されてなり、６のＯリングパッキンを介在して、７の円筒状の本体内に収納され、防水耐性の機能が保持された小型で携帯可能な超音波発生装置にある。ところで円筒状の本体７は、樹脂モール成形が一般的であるが、特に限定されるものではない。また、本体７の形状も円筒状に限定されることなく、丸いボール形やラグビーボールのような楕円形、さらには和太鼓形も適宜に選択できる。【０００８】  上記にして得られた本発明の携帯用超音波発生装置は、例えば、長期の海外出張などの時、クリーニングに出せない下着や靴下類は、本発明品の超音波発生装置と共に洗面器に漬け置きするだけで、洗濯ができてしまう。手もみ洗いなどの手間から完全に開放される。また、家庭においても、洗濯物と一緒に本発明品の超音波発生装置をネットに入れて、洗濯機にかけることにより、洗濯機の流水作用と本発明の超音波振動が相乗して短時間で洗濯物がきれいになる。
【図面の簡単な説明】
【０００９】
【図１】  本発明の実施態様の一例を概略的に示す、携帯用超音波発生装置である。
【００１０】
【図２】  図１に示す携帯用超音波発生装置Ａ−Ａ断面図である。
【符号の説明】
１・・・携帯用超音波発生装置
２・・・発振器
３・・・超音波振動子
４・・・振動盤
５・・・電池
６・・・パッキン
７・・・円筒本体
８・・・スイッチ
【図１】
2005329387.tif 000003
【図２】
2005329387.tif 000004
(57)【要約】【課題】発明の課題を簡潔に記載して下さい。  従来の、アルミセパレーター及び難燃紙セパレーター式中性フィルターは、構造圧損を起こしやすかった。これは、通気性の無いセパレーターにエアが閉じ込められ圧損が高くなっていた。  又、完全焼却が出来ない為、大量の産業廃棄物を発生している。【解決手段】発明の解決手段を簡潔に記載して下さい。  セパレーターを、アルミ難燃紙から通気性の良いポリプロピレンネットセパレーターの単板を７ｍｍの超低山高にプリーツしフィルターの摘性山数に挿入させる。それにより、構造圧損を起こしにくくし、省電力化、ＣＯ２を削減する。【特許請求の範囲】
【請求項１】
従来のビル空調で使用されている、アルミセパレーター及び難燃紙セパレーターを組み込んだフィルターをポリプロピレンネットセパレーターを使用したフィルター。
【発明の詳細な説明】
【技術分野】
【０００１】  本発明はビル空調設置施設の省電力化及びＣＯ２削減を図った中性フィルターに関する。
【発明の開示】
【発明が解決しようとする課題】
【０００２】  従来のアルミセパレーター及び難燃紙セパレーターを使ったフィルターでは吹き込まれたエアーがセパレーターの中に閉じ込められ、構造圧損を起こしてフィルターに抵抗がかかり圧損を上げていた。
【課題を解決するための手段】
【０００３】  本発明はこの様な、従来の構成が有していた問題を解決しようとするものであり、低圧損を目的としたものである。
【発明の効果】
【０００４】  そして本発明は上記目的を達成する為に、アルミセパレーター及び難燃紙セパレーター使用せず通気性が良く、完全燃焼できるポリプロピレンネットセパレーターを使用し、構造圧損を起こしにくくし省電力化、ＣＯ２削減等の環境問題に関わる現代目的に配慮したものである。
【発明を実施するための最良の形態】
【０００５】  ポリプロピレンの単板を当社プリーツマシンにて山高７ｍｍの超低山高にプリーツし、摘性山数に挿入し形状維持を図る。
【図面の簡単な説明】
【０００６】
【図１】  「〜を示した平面図である。」のように記載します。
【図２】  「〜を示した断面図である。」のように記載します。
【図１】
2005329388.tif 000002
【図２】
2005329388.tif 000003
(57)【要約】【要  約】  【課  題】    二層管用膨張継手を低コストで能率的に製造する。【解決手段】  フッ素樹脂層11の外側にゴム層12を接着した二層管1aを、円筒状の縦孔31を有し内径部分が球状にくぼんだ２つ割りの外側金型3a、3b内に挿入し、二層管1a内に芯棒４を挿入してからこの二層管1aを軸方向に圧縮して中央部分をくぼみに向けて拡張させる。【選択図】    図３
2005329654.tif 000002
【特許請求の範囲】
【請求項１】
フッ素樹脂層の外側にゴム層を接着した二層管を、円筒状の縦孔を有し、この縦孔の高さ方向中央において内径部分が球状にくぼんだ２つ割りの外側金型内に挿入し、前記二層管内にその内径にほぼ等しい径の芯棒を挿入してから前記二層管を軸方向に圧縮して長さ方向中央部分を前記のくぼみに向けて拡張させることを特徴とするフッ素樹脂製配管用膨張継手の製造方法。
【請求項２】
前記二層管を加熱保持して圧縮を行う請求項１に記載のフッ素樹脂製配管用膨張継手の製造方法。
【発明の詳細な説明】
【技術分野】
【０００１】
本発明は、化学プラントなどのフッ素樹脂製配管に熱膨張吸収用として使用される膨張継手の製造方法に関する。
【背景技術】
【０００２】
「テフロン」の商品名で知られる四フッ化エチレン（ポリテトラフルオロエチレン）等のフッ素樹脂は、化学的に安定で、表面の摩擦係数がきわめて低く、他の物質と容易に接着しないことなどから、化学プラントの機器や温泉などの腐食性、あるいは高温の配管によく使用される。配管において内部を流れる流体が高温の場合、管長方向の熱膨張に対処するため適当な間隔で膨張継手を挿入することが必要である。膨張継手は、短管の両側のフランジの中間を球状にふくらませた形状のものが一般的である。ところで、取り扱う流体の種類によって、例えば塩素ガスが含まれる流体の場合、分子がフッ素樹脂を透過してしまうので、一般的にフッ素樹脂の外側をゴムでライニングした二層構造が採用される。例えば特許文献１には、内層にガソリン透過性の低いナイロン樹脂またはフッ素樹脂を用い、外層にエピクロルヒドリンゴムを用いた自動車用燃料ホースが記載されている。
【０００３】
このような二層管に使用する膨張継手の従来の製造方法は、フッ素樹脂のみを成形加工した後、ゴムを被覆するのが普通であるが、内側のフッ素樹脂がすでにふくらんだ形状となっているため、これを中子にして外側にゴムを流し込んだり、ペースト状のゴムを塗り付け、旋盤加工で仕上げるなどの方法が採られており、生産性が悪くコストが高いという問題点があり、改善が望まれていた。
【特許文献１】特開平５−４４８７４号公報
【発明の開示】
【発明が解決しようとする課題】
【０００４】
本発明は、このような特殊な形状の膨張継手を低コストで能率的に量産することのできるフッ素樹脂製配管用膨張継手の製造方法を実現することを目的とする。
【課題を解決するための手段】
【０００５】
本発明は、フッ素樹脂層の外側にゴム層を接着した二層管を、円筒状の縦孔を有し、この縦孔の高さ方向中央において内径部分が球状にくぼんだ２つ割りの外側金型内に挿入し、前記二層管内にその内径にほぼ等しい径の芯棒を挿入してから前記二層管を軸方向に圧縮して長さ方向中央部分を前記のくぼみに向けて拡張させることを特徴とするフッ素樹脂製配管用膨張継手の製造方法であり、望ましくは前記二層管を加熱保持して圧縮を行う前記のフッ素樹脂製配管用膨張継手の製造方法である。
【発明の効果】
【０００６】
本発明によれば、フッ素樹脂とゴムとの二層管をプレス成形することで膨張継手を製造することができるのできわめて能率がよく、かつ品質的にも安定した製品を製造することができるという、すぐれた効果を奏する。
【発明を実施するための最良の形態】
【０００７】
本発明のフッ素樹脂製配管用膨張継手の製造方法を図面により詳細に説明する。
【０００８】
第１工程はフッ素樹脂とゴムとの二層管の製造である。フッ素樹脂の直管は径、肉厚ともにさまざまな寸法のものが市販されており、容易に入手できる。この直管の外周にゴムを接着するには、まずサンドペーパ等で表面をこすって面あらしを行い、液状の金属ナトリウムを塗布した後、２液反応形等のゴム用の接着剤でゴムを接着する。面あらしはコロナ放電処理などで行ってもよい。ゴムは筒状のものを嵌めてもよいが、帯状のものをらせん状に巻き付ける方が作業性がよい。
【０００９】
図２は二層管1aを示す斜視図で、11はフッ素樹脂層、12はゴム層である。
【００１０】
第２工程はこの二層管の中間をふくらませる成形加工である。図３によりこれを説明する。まず、（ａ）に示すように、円筒状の縦孔31の高さ方向中央において内径部分が球状にくぼんだ２つ割りの外側金型3a、3bを用意し、縦型プレス機のボルスタ２上に載置する。縦孔31の内径は、前記二層管1aの外径に対応するものとする。つぎに（ｂ）に示すように縦孔31内に二層管1aを挿入する。二層管1aの長さは、外側金型3a、3bの高さよりもふくらみ変形の分だけ長くする。つづいて（ｃ）に示すように二層管1a内に金属製の芯棒４を挿入する。芯棒４の径は、二層管1aの内径に対応するものとする。縦型プレス機のスライド５は、芯棒４に嵌合して昇降するように、中央には孔を設ける。
【００１１】
以上で準備が完了したので、最後に（ｄ）に示すようにスライド５を降下させると、スライド５は二層管1aのみを押し下げるので、軸方向に圧縮され、外側金型3a、3bのくぼみに向けて拡がり、軸方向中央部が球状にふくらんだ膨張継手１が成形される。このとき、二層管1aを事前に加熱するか、外側金型3a、3b、あるいは芯棒４に加熱手段を設けて二層管1aを130℃程度に加熱し保持すると、成形が容易である。
【００１２】
製造された膨張継手１の一部断面正面図を図１に示す。実際にはこの上下端に金属製等のフランジを取り付けて使用する。
【００１３】
この膨張継手１の許容温度は−20℃〜100℃程度である。また、ゴム層12内に合成繊維などの補強材を混入させると、１ＭPa程度の内圧にまで耐えられる高圧仕様のものが製造できる。
【図面の簡単な説明】
【００１４】
【図１】本発明に係わる膨張継手を一部断面で示す正面図である。
【図２】本発明における二層管を示す斜視図である。
【図３】本発明における二層管の成形加工を順を追って示す説明図である。
【符号の説明】
【００１５】
１    膨張継手
1a    二層管
11    フッ素樹脂層
12    ゴム層
２    ボルスタ
3a、3b    外側金型
31    縦孔
４    芯棒
５    スライド
【図１】
2005329654.tif 000003
【図２】
2005329654.tif 000004
【図３】
2005329654.tif 000005
(57)【要約】      （修正有）【課題】印刷物がなかったのを解決する。各ギャンブルファンのための無料の用紙がないのを解決できる。【解決手段】マークカードの裏面に図面及び活字を印刷することにより裏面を有効に誰でも利用可能とした。【選択図】図１
2005329607.tif 000002
【特許請求の範囲】
【請求項１】
マークカードの裏面に図面及びに活字を印刷することにより各ギャンブルファンが簡単明瞭に予想がしやすくなる。
【発明の詳細な説明】
【発明の開示】
【発明が解決しようとする課題】
【０００１】
印刷物がなかったのを解決する。各ギャンブルファンのための用紙がないのを解決できる。
【課題を解決するための手段】
【０００２】
各ギャンブルファンのための無料の用紙がないのを解決できる。
【発明の効果】
【０００３】
マークカード紙の裏面を有効に誰でも利用できる。マークカード紙の裏面を各ギャンブル以外に使用するのを防止できる。
【図面の簡単な説明】
【０００４】
【図１】ボートレース用
【図２】競輪、競馬、オートレース用
【図１】
2005329607.tif 000003
【図２】
2005329607.tif 000004
(57)【要約】【課題】複数色の発色を可能にした意匠性に優れた着色樹脂シートを提供する。【解決手段】第１光輝性着色材を含有する第１透明樹脂層１と、第１光輝性着色材とは異なる色調で補色の関係にない第２光輝性着色材を含有する第２透明樹脂層２とを、一体に重ねた構成とする。第１光輝性着色材と第２光輝性着色材は、好ましくは鱗片状のものである。前記一体化は、第１透明樹脂層１と第２透明樹脂層２を共押出成形することにより実施する。第１、第２光輝性着色材は、例えば、鱗片状マイカに酸化チタン皮膜を形成したものとし、全質量に占める酸化チタン皮膜の質量を変えることにより、異なる発色を得るようにする。【選択図】    図１
2005329614.tif 000002
【特許請求の範囲】
【請求項１】
第１光輝性着色材を含有する第１透明樹脂層と、第１光輝性着色材とは異なる色調で補色の関係にない第２光輝性着色材を含有する第２透明樹脂層とを、一体に重ねたことを特徴とする着色樹脂シート。
【請求項２】
第１光輝性着色材と第２光輝性着色材が、鱗片状であることを特徴とする請求項１記載の着色樹脂シート。
【発明の詳細な説明】
【技術分野】
【０００１】
本発明は意匠性の良い着色樹脂シートに関する。
【背景技術】
【０００２】
意匠性に配慮をした着色樹脂シートとしては、顔料、金属粉、無機粉等を充填した着色樹脂層を透明樹脂層により被覆した構成が実用に供されている（例えば、特許文献１）。これは、透明樹脂層の厚みにより奥行き感を出して意匠性を高めている。
【０００３】
また、光輝性粉末（例えば、アルミニウム粉末）と熱可塑性樹脂バインダを必須成分とするインクを透明熱可塑性樹脂フィルムの片面にベタ印刷した化粧フィルムを用意し、当該フィルムを、その印刷面を内側にして熱可塑性樹脂シートに熱融着して一体化した構成が提案されている（例えば、特許文献２）。前記印刷により形成したインク層は、光輝性粉末が整列した状態にあり、高輝度の着色樹脂シートとすることができる。
【０００４】
【特許文献１】特公平０５−６４５９１号公報
【特許文献２】特開２００３−１７５５６８号公報
【発明の開示】
【発明が解決しようとする課題】
【０００５】
上記のシートは、いずれも単色の発色である。本発明が解決しようとする課題は、複数色の発色を可能にした意匠性に優れた着色樹脂シートを提供することである。
【課題を解決するための手段】
【０００６】
上記課題を解決するために、本発明に係る着色樹脂シートは、第１光輝性着色材を含有する第１透明樹脂層と、第１光輝性着色材とは異なる色調で補色の関係にない第２光輝性着色材を含有する第２透明樹脂層とを、一体に重ねたことを特徴とする。第１光輝性着色材と第２光輝性着色材は、好ましくは鱗片状のものである。
【発明の効果】
【０００７】
上記の構成によれば、シートへの入射光の一部が反射して戻ってくるとき、第１透明樹脂層中の第１光輝性着色材から反射して戻ってくる光の反射角度と、第２透明樹脂層中の第２光輝性着色材から反射して戻ってくる光の反射角度とが異なる。従って、被験者は、見る角度によっていずれか一方の透明樹脂層からの反射光を優先的に知覚することになり、各透明樹脂層からの反射光の色調は異なったものであるので、見る角度によって一つのシートから異なる発色を得られることとなる。
【０００８】
光輝性着色材を鱗片状にすると、反射光の量が多くなるので、より意匠性を高めることができる。
【実施例】
【０００９】
第１光輝性着色材として、鱗片状マイカに酸化チタンの皮膜を形成した着色材を用意した。この着色剤は、粒度１０〜６０μｍ、全質量に占める皮膜の質量が４６％である。
また、第２光輝性着色材として、同様に鱗片状マイカに酸化チタンの皮膜を形成した着色材を用意した。この着色剤は、粒度５〜２５μｍ、全質量に占める皮膜の質量が５７％である。
【００１０】
第１光輝性着色材の含有量が１質量％である第１透明樹脂層１と第２光輝性着色材の含有量が１質量％である第２透明樹脂層２とを一体化して２層の着色樹脂シートとした。
【００１１】
上記第１透明樹脂層１と第２透明樹脂層２の一体化は、両層を共押出成形することにより実施した。第１透明樹脂層１は０．２〜０．３５mm厚、第２透明樹脂層２は１．８〜１．９５mm厚の範囲で制御し、シート全体厚は２．１〜２．１５mmである。
【００１２】
上記着色樹脂シートを第１透明樹脂層側から見たとき、シート面に対し直角方向からは第１透明樹脂層１の色相である赤色系の発色を確認することができた。そして、前記状態からシートを傾けていくと、第２透明樹脂層２の色相である黄色系の発色を確認することができた。
【図面の簡単な説明】
【００１３】
【図１】本発明に係る実施例を示す断面図である。
【符号の説明】
【００１４】
１は第１透明樹脂層
２は第２透明樹脂層
【図１】
2005329614.tif 000003
(57)【要約】【課題】  辺長における任意の位置を容易に知ることができ、なおかつ幅広い用途に使用することができるように、辺長における位置を示す目印を断面に付けた用紙を提供する。【解決手段】  用紙（１）の１辺または複数の辺の辺長の任意の位置の断面（２）に、切り込みまたは圧迫痕、あるいはインクまたは塗料による線により、辺長における位置を示す目印（３）を付けたことを特徴とする。【選択図】  図１
2005329691.tif 000002
【特許請求の範囲】
【請求項１】
断面の任意の位置に辺長における位置を示す目印を付けた用紙。
【発明の詳細な説明】
【技術分野】
【０００１】  この発明は、用紙の辺長における位置を容易に知るために、用紙の断面の任意の位置に辺長における位置を示す目印を付けた用紙に関するものである。
【背景技術】
【０００２】  従来、用紙の表面の任意の位置に辺長における位置を示す目印を印刷した用紙があった。
【発明の開示】
【発明が解決しようとする課題】
【０００３】  そのために、次のような問題点があった。
（イ）用紙の辺長の中心部を知るには、定規等により中心位置を計測するか、辺を二つ折りにしてその中心についた折り目を目印代わりにしなくてはならない。また、用紙の辺長の中心部以外の任意の位置を知るには、その任意の位置を定規等により計測しなくてはならない。
（ロ）表面の任意の位置に辺長における位置を示す目印を付けた用紙は、上の問題を解決するとはいえ、一見して、目印が目立ち過ぎてしまうため、用途が限られてしまっていた。
（ハ）また、同様の用紙を多量に加工するためには用紙の表面に目印を印刷することが必要であり、製造コストが高くなった。
本発明は、これらの問題点を解決するためになされたものである。
【課題を解決するための手段】
【０００４】  用紙（１）の１辺または複数の辺の辺長の任意の位置の断面（２）に、切り込みまたは圧迫痕、あるいはインクまたは塗料による線により、辺長における位置を示す目印（３）を付ける。
本発明は、以上を特徴とする目印付用紙である。
【発明の効果】
【０００５】（イ）断面に予め付けられた目印により、用紙の辺長における任意の位置を容易かつ正確に知ることができる。
（ロ）目印が断面に付けられているため、目印が目立ち過ぎることが無く、幅広い用途に使用することができる。
【発明を実施するための最良の形態】
【０００６】  以下、本発明の実施の形態について説明する。
（イ）複数枚の用紙（１）を四隅を揃えた状態に整える。
（ロ）用紙（１）の断面に、辺長における任意の位置を示す目印（２）を、切り込みまたは圧迫痕、あるいはインクまたは塗料による線により付ける。
本発明は以上のような構成で、これをパンチ式穴あけ器等で穴をあけてファイリングすべき用紙として使用すれば、用紙の２つの長辺のそれぞれの中心位置の断面に目印を付けることにより、用紙の裏表にかかわらずパンチ式穴あけ器等の中心部に合わせるべき位置を容易かつ正確に知ることができ、ファイリング作業が効率的になる。
また、Ａ４縦サイズのファイルにファイリングしたいＢ４サイズの用紙として使用すれば、２つの長辺の端から２１ｃｍの位置に目印を付けることにより、容易かつ正確にＡ４サイズの幅に合わせて折りたたんで整然とファイリングすることができる。
また、会社等であまり使用されることの無いＡ５サイズの用紙が、官公庁へ提出する帳票等において求められる場合にも、Ａ４サイズの用紙を用紙の辺長の中心部に付けられた目印に従って半分に切断することにより、容易かつ正確にＡ５サイズの用紙を調製することができ、ワープロ等を使用しての帳票作成作業においても効率的である。
また、封筒に入れるために三つ折りにしたい便箋用紙として使用すれば、長辺の断面に三つ折りのための目印を付けることにより、容易かつ正確に三つ折りにすることができる。
なお、目印の大きさ、形、色を調節することにより、目印としての目立ち具合と無垢の用紙としての目印の目立たなさとのバランスをとることが可能であるため、広範囲の用途に使用可能な用紙となる。
さらに、用紙の製造工程に関して言えば、複数枚の用紙を梱包する直前に、その揃えられた用紙の断面の必要な位置に目印を付けるという工程を加えるだけで容易かつ多量に製造することができる。
【図面の簡単な説明】
【０００７】
【図１】本発明を揃えた複数枚の用紙に適用した場合の斜視図である。
【符号の説明】
【０００８】１    用紙
２    断面
３    目印
【図１】
2005329691.tif 000003
(57)【要約】（課題）この発明は針金を半長円に丸めて柄に付け耳穴の奥にあかを押し込むことなく、またつまってしまった耳あかを、耳穴の皮ふとあかのすき間にさし込みくずしてかき出す耳あか取りに関するものである。（解決手段）針金（１）を耳穴位いの小さな半長円にして柄（２）に取り付け耳あかと耳穴の皮ふとのすき間にさし込み、あかをくずしてかき出す。（選択図）図１【特許請求の範囲】
【請求項１】
針金を半長円に丸めて、柄に取り付けた、耳あか取りである。
【発明の詳細な説明】
【発明の詳細な説明】
この発明は表面をなめらかにしてある針金を耳穴位いの小さな半長円にして柄に取り付けた、耳あか取りである。従来の竹等で出来た、柄の先を平らにして曲げたもの等では、耳あかを取ろうとすれば、だんだんと順番に奥へ奥へと押し込んでしまい、最後には耳あかは奥で圧縮されて乾燥して固まってしまう、そこまでつまると、音、声が聞きずらく、したがってテレビ等の音量が高くなる、そして半年に一度位いは耳鼻科にかかり、３、４日は通院し耳あかを取りのぞかなければならず、時間も日数もかかり非常にめんどうな事であった。この耳あか取りならばその前段階で耳あかをかき出すことが出来る。本発明はそれを簡単な方法で解決したものである。以下それを説明すると、針金（１）を耳穴位いの小さな半長円にして、柄（２）の先に取り付ける、こうすれば耳穴の皮ふと耳あかとのすき間に針金（１）をさし込み耳あかを起こして引っかけ押し込むことなく一度で取れなくとも少しづつあかをくずしてかき出すことが出来る。本発明はこのように簡単な方法で問題を解決したものである。なを（図３）の如く針金（１）を柄（２）の先に平行に２本つけ耳穴の大きさにより、半長円の針金（１）の先を個々に広げたりつぼめたり調節して耳穴奥で耳穴を広げながら耳あかと皮ふとのすき間に針金（１）を容易にさし込むことが出来、あかをくずしてかき出すのに、より効果がある。
【図面の簡単な説明】
【図１】本発明の正面図（背面図は正面図と同一にあらわれる）
【図２】本発明の左側面図（側面図は左右対称にあらわれる．）
【図３】本発明の他の実施例の左側面図（側面図は左右対称にあらわれる．）正面図は針金（１）が柄（２）に平行に２本付いているので（図１）と同じである。
【符号の説明】
１は針金２は柄
【図１】
2005329216.tif 000002
【図２】
2005329216.tif 000003
【図３】
2005329216.tif 000004
(57)【要約】【課題】  従来の買い物袋は商品自体が丸や四角長方形の物が多く、ゴボウや長ネギ等の細く長い物は少なかったため、袋自体が長方形になってしまっていた、その為ゴボウや長ネギ等を入れた場合、買い物袋からはみ出してしまい非常に不安定になっていた【解決手段】  買い物袋の下部から適当な部分を棒状に溶着または接着する、その溶着または接着部分に破線状の切り込み線を入れて、端には破断防止用の孔を設けた、買い物袋【選択図】  図１
2005329212.tif 000002
【特許請求の範囲】
【請求項１】
買い物袋の下部を（１）の様に溶着または接着し、その部分に破線状の切取線（２）をいれ、端には破断防止用の孔（３）をあけたポリエチレンまたはビニール等で出来た買い物袋
【請求項２】
請求項１の溶着または接着した部分をファスナー等に置き換えた買い物袋（図４）
【発明の詳細な説明】
【技術分野】
【０００１】  この発明は、買い物袋の下部に切り込みを入れて、変形させて利用することにより、長尺物を入れやすくした買い物袋である
【背景技術】
【０００２】  従来買い物袋は、汎用性を求められるため、サイズが限られ細く長い物を（長ネギやゴボウ等）収納するのには大変不便であった
【発明の開示】
【発明が解決しようとする課題】
【０００３】その為無理に詰め込んで持って帰るわけであるが、袋からはみ出ている部分が多いため不安定で、落ちやすい、特に自転車で買い物する人は、段差等でショックがあって落ちそうになったとき、あわてて手で押さえようとすると、自転車が不安定になったり転倒するおそれがあって非常に危険である
【課題を解決するための手段】
【０００４】  以上の課題を解決するために、買い物袋の下部に１の様に溶着または接着して、２の様な切り取り用の切り込みを入れる、端にはそこ以上切れない様に破断防止用の孔３を設ける、または図４の様にファスナー等で作っても良い
【発明の効果】
【０００５】  図２の様に破断防止用孔３まで切断してそれを下に向ける事で長尺物を常に安定した形で収納することが出来る、ファスナー等を利用した場合は開け閉めすることで繰り返し利用できる
【発明を実施するための最良の形態】
【０００６】  以下本発明についての実施の形態について説明する
（イ）ポリエチレンまたはビニール等で出来た買い物袋の下部に下からある程度の幅を持って、そして横にもある程度の幅を残して（１）の様に溶着または接着する、また買い物袋の材質によっては（図４）の様にファスナー等を利用しても良い
（ロ）溶着または接着した部分に（２）の様に破線状の切り込みを入れる、
（ハ）端の方には残した幅の部分が切れない様に（３）の様な孔を開ける、
本発明は以上の様な構成で、これを使用するときには、（２）の切り取りようの破線を（３）まで切り取り（図２）のように端の溶着または接着していない部分に長尺物を通して収納する【０００７】「実施形態の効果」
この実施形態によれば、長尺物（ゴボウや長ネギ等）は買い物袋に安定して納めることが出来る為、買い物袋からこぼれそうになったり、こぼれるおそれが無くなる【０００８】「他の実施形態」
（イ）図１の実施形態では、（１）の溶着または接着した部分は直線で１カ所であったが、（図３）の様に端を曲げて、角の部分も溶着または接着すれば、長尺物（ゴボウや長ネギ等）を入れやすくすることが出来る
（ロ）図１の実施形態で溶着または接着した部分をファスナー等に置き換えた買い物袋（図４）これは繰り返し使用でき、（２）、（３）は必要なくなる
【図面の簡単な説明】
【０００９】
【図１】この発明の一実施形態を示す図である。
【図２】この発明を実際に使用するときの展開図である
【図３】この発明の他の実施形態の図である
【図４】この発明の溶着または接着の部分をファスナー等に置き換えた図である
【符号の説明】
【００１０】１  溶着または接着            ２  切り取り用破線
３  破断防止用孔              ４  長尺物
５  ファスナー等
【図１】
2005329212.tif 000003
【図２】
2005329212.tif 000004
【図３】
2005329212.tif 000005
【図４】
2005329212.tif 000006
(57)【要約】【課題】  箸の先端による食材の突き刺さりを防止する【解決手段】  箸の先端の形状を雫状にする事により、食材に対し抵抗面を大きくし突き刺さりを防止する。【選択図】  図１０
2005329211.tif 000002
【特許請求の範囲】
【請求項１】
箸の先端による食材の突き刺さり防止
【発明の詳細な説明】
【技術分野】
【０００１】  この発明は、箸の先端の形状に関する。
【背景技術】
【０００２】  従来の箸は、箸本体が箸先に移行するに従って細くなっていく。
【発明の開示】
【発明が解決しようとする課題】
【０００３】  しかしながら、以上の技術によれば食材を炒める時や、混ぜる時、あえる時、移動させる時に、食材に箸の先端が突き刺さり、その都度食材から突き刺さった箸を抜くという行為を繰り返さなければならない問題が生じる。
そこでこの発明は、根本的に箸の先端の形状を変える事で食材の突き刺さりを防止する箸を提供する事を課題とする。
【課題を解決しようとする手段】
【０００４】  以上の課題を解決するためにこの発明は、通常の箸の先端は箸先に沿って細くなっているが、この先端部を雫状の形状を設けることを、特徴とする。
【発明の効果】
【０００５】  本発明は以上のような構成であるから、根本的に食材に突き刺さりやすい今までの形状ではなく、箸先を雫状にし先端面積を増やし、その抵抗により突き刺さりを回避できる。
【発明を実施するための最良の形態】
【０００６】  従来の箸は、箸先に沿って細くなる形状で、食材に突き刺す意図が無い時にでも図１の示すように、突き刺さる要素がある。【０００７】  この発明の実施形態を図２に示すとおり、箸の先端を雫状にすることにより箸の先端が図３に示すとおり食材に加圧されても、雫状の抵抗面がある為食材や身体に突き刺さりにくい構造である。【０００８】  図４、図５が示すとおり、図４の直径と図５の直径を変更することで、物体に刺さる抵抗を調整する事が出来る。
【図面の簡単な説明】
【０００９】
【図１】  従来の箸の現状
【図２】  発明品の箸の全体図
【図３】  発明品の箸の効果
【図４】  抵抗面大
【図５】  抵抗面小
【図６】  正面図（背面図は正面図と同一に表れる為、省略）
【図７】  左側面図（右側面図は左側面図と同一に表れる為、省略）
【図８】  平面図
【図９】  底面図
【図１０】  図６  Ａ−Ａ′部分拡大図
【図１】
2005329211.tif 000003
【図２】
2005329211.tif 000004
【図３】
2005329211.tif 000005
【図４】
2005329211.tif 000006
【図５】
2005329211.tif 000007
【図６】
2005329211.tif 000008
【図７】
2005329211.tif 000009
【図８】
2005329211.tif 000010
【図９】
2005329211.tif 000011
【図１０】
2005329211.tif 000012
(57)【要約】【課題】パーティや結婚式などにつけていく、ネックレスが今までなかった。ネクタイに簡単につけられる、女性のネックレスとお揃にできる、アクセサリーを提供する。【解決手段】チェーン（２）の上部にクリップ（１）を設ける。【選択図】図１
2005329214.tif 000002
【特許請求の範囲】
【請求項１】
チェーン（２）の上部にクリップ（１）を設け、ネクタイにつけるアクセサリー。
【発明の詳細な説明】
【技術分野】
【０００１】  この発明は、装着したネクタイに簡単にチェーン（２）がつけられる、アクセサリーに関するものである。
【背景技術】
【０００２】  従来、ネクタイピンがあった。
【発明の開示】
【発明が解決しようとする課題】
【０００３】  しかしパーテイや結婚式などにつけていく、ネックレスが今までなかった。  本発明は、ネクタイに簡単につけられる、女性のネックレスとお揃いにできるアクセサリーである。
【課題を解決するための手段】
【０００４】  チェーン（２）の上部にクリップ（１）を設けた。  本発明は、以上のような構成よりなるアクセサリーである。
【発明の効果】
【０００５】  発明は以上のような構造で、これを使用するときは、装着したネクタイに、ネクタイの下からくぐらせて、結んだ部分（３）の裏側に、クリップ（１）を止めるだけで、つけられる。
【発明を実施するための最良の形態】
【０００６】  以下、本案の実施の形態について説明する。  チェーン（２）の上にクリップ（１）を設ける。  本案を使用するときは、クリップ（１）とチェーン（２）の下を両手でもち、ネクタイの下からくぐらせ結び部分（３）まで上げて、結び部分（３）の裏側にクリップ（１）を止めるだけでつけられるアクセサリーである。
【図面の簡単な説明】
【０００７】
【図１】本発明の斜視図である
【図２】本発明の使用中の斜視図である
【図３】本発明の使用中のネクタイ裏側の斜視図である。
【符号の説明】
【０００８】  １  クリップ  ２  チェーン  ３  結んだ部分  ４  ネクタイ  ５  ワイシャツ
【図１】
2005329214.tif 000003
【図２】
2005329214.tif 000004
【図３】
2005329214.tif 000005
(57)【要約】【課題】  傘を差したとき手元を持った反対側の肩や腕が傘下からはみ出して雨に濡れてしまうため、傘の中棒（主柱）が体の中央に移動できて肩や腕などが濡れない傘の発明が待たれていた。【解決手段】  傘を差したとき手元を持った反対の肩や腕、等が傘下からはみ出して濡れないよう傘の中棒（主柱）が体の中央に移動できるようにプレート等で作られたＺ型の腕を設けこれに中棒と脇柱をつなぐ事により中棒と脇柱は平行に移動出来、傘を差したとき傘の中心が体の中央にスライドできる。【選択図】図１
2005329227.tif 000002
【特許請求の範囲】
【請求項１】
中棒に平行する脇柱をプレート等で作られた折りたたみの出来る腕でつないで脇柱が中棒に平行等に移動出来る傘
【発明の詳細な説明】
【技術分野】
【０００１】    この発明は傘を差した時、傘の中棒（主柱）が体の中央に来るよおに手元の位置が移動出来る傘に関するものである。
【背景技術】
【０００２】    傘の中棒（主柱）が傘の左右の中心にあるため傘を差した時，手元を持った手の側に傘の中心が寄るため反対側の肩や腕などが傘下の中に入らず雨にさらされ濡れてしまう。
【特許文献１】特開２０００−２０１７１１
【特許文献２】特開平０９−１４０４２６
【発明の開示】
【発明が解決しようとする課題】
【０００３】  傘を差した時、手元を持った手の反対側の肩や腕などが雨に濡れてしまう。これは傘の中棒（主柱）が傘の中心にあり、この先に手元が付いているため持った手の反対側の肩や腕が傘下からはみ出るため濡れてしまう。このため傘を差したとき傘の中心が体の中央に来るよお手元の位置が体の中心から約１０ｃｍ〜２０ｃｍ位移動できれば解決出来る。この不便を解決するため手元が移動できる傘の発明が待たれていた。
【課題を解決するための手段】
【０００４】  パイプまたはプレート等で作られたＺ型の腕（５）の一方に中棒（１）、もお一方に脇柱（２）を設け、脇柱の先に手元（３）を付ける。Ｚ型の腕は蝶番（６）により中棒（１）と脇柱（２）に固定され、中棒と脇柱はクランク状に固定されつながれる。このため中棒と脇柱は腕の長さ分平行移動できるので傘を差したとき傘の中心が体の中央に位置するよおに移動できるので体の全てが傘下に入り雨に濡れることが防げる。中棒と脇柱を２個の蝶番で固定し、折りたたみを容易にするため筋交いのよおに入れたプレート等（４）を二つに区切りＡ点でつなげＡ点を折れ点として折りたためば、Ｂ面とＣ面がＤ面とＥ面が合わさり中棒と脇柱は並んだ形となりコンパクトに収まる。
【発明の効果】
【０００５】  本発明は、以上の構成だからシンプルで簡単に手元の位置が移動できる。従って傘を差したとき傘の中棒（主柱）が体の中央に移動出来るので、肩や腕などが雨に濡れる事が無くなり便利である。
【発明を実施するための最良の形態】
【０００６】  本発明の傘は、図１に示されるように中棒（１）と脇柱（２）をＺ型の腕プレート等（５）によりつなげ腕の長さ分中棒と脇柱が平行移動出来る。傘を開くと図１の形となる。中棒と脇柱を２カ所の蝶番（６）でＺ型腕プレート等（５）とをつなげる。またＡ点で二つに折れるプレート等（４）で中棒とＺ型腕プレート等と、脇柱とＺ型腕プレートをつなぐ。傘を閉じるときＡ点を折るとＢ面とＣ面、Ｄ面とＥ面が合わさり中棒と脇柱は並んだ形となりコンパクトに収まる。
【図面の簡単な説明】
【０００７】
【図１】本発明の側面図（開いた状態）
【符号の説明】
【０００８】  １．中棒
２．脇柱
３．手元
４．プレート
５．Ｚ型腕プレート
６．蝶番
Ａ．屈折点
【図１】
2005329227.tif 000003
(57)【要約】      （修正有）【課題】カードケース、ポスターケースなどを、窓のようにデザインした、室内装飾用の額縁マドアールを提供する。【解決手段】カードケース、ポスターケース（１）などの上下側、左右側と中央たてに厚めの窓枠（２）を取り付け、上部にカーテンレール（３）、左右の両側にカーテン（４）、カーテン中央部にカーテン止め（５）、中央たての窓枠の真ん中に取っ手（６）を取り付け、厚めの窓枠の作用により、挿入した絵や写真が遠くに見える、窓のようにデザインしたことを特徴とする。【選択図】図１
2005329206.tif 000002
【特許請求の範囲】
【請求項１】
カードケース、ポスターケース（１）などの上下側、左右側と中央たてに厚めの窓枠（２）を取り付け、上部にカーテンレール（３）、左右の両側にカーテン（４）、カーテン中央部にカーテン止め（５）、中央たての窓枠の真ん中に取っ手（６）を取り付けることにより、窓のようにデザインされた室内装飾用の額縁マドアールである。
【請求項２】
上記額縁マドアールの下部に台を取り付け、芳香剤や小さな置物を飾れるようにした、（請求項１）に記載の室内装飾用の額縁マドアールである。
【発明の詳細な説明】
【技術分野】
【０００１】  本発明はカードケース、ポスターケースなどを、窓のようにデザインした室内装飾用の額縁マドアールに関するものである。
［背景技術］【０００２】  従来カードケース、ポスターケースなどは、カードや絵、ポスターを入れて保管するもので、壁に飾るものではなかった。又壁に飾る窓のようにデザインされた額縁のようなものもなかった。
［発明の開示］
［発明が解決しようとする課題］【０００３】  窓とは光を、空気を取り入れる壁や天井に作られるものであるが、建築上窓のないトイレや部屋が数多く見られる、しかしそこに窓を作るには、非常に困難で費用と日数がかかる、そういったところにせめて景色だけでも見える窓があれば心がなごむと思い、簡単に作成できる安価な窓のように見える額縁を提供するものである。
［課題を解決するための手段］【０００４】  カードケース、ポスターケース（１）などの上下側、左右側と中央たてに厚めの窓枠（２）を取り付け、上部にカーテンレール（３）、左右の両側にカーテン（４）、カーテン中央部にカーテン止め（５）、中央たての窓枠の真ん中に取っ手（６）を取り付けることにより、窓のようにデザインした。この厚めの窓枠（２）とカーテン（４）、中央たての窓枠の取っ手（６）を取り付ける形状こそが、本発明の最も主要な特徴とする。
窓枠を厚めにすることにより、挿入した絵や写真が遠くに見えるようにした。
中の景色は四季に合わせて、海、山、川、夜景、花畑、森林、街等簡単に入れ替えすることができる。
窓枠も木目、スチール、色も白、茶、グレー、カーテンも白、青、ピンク等さまざまなデザインで作成することができる。
大きさもＡ４サイズ，Ａ３サイズとあらゆる大きさに対応できる。
［発明の効果］【０００５】  通常窓のないところに窓を取り付けることにより、一見人目につきやすいという利点があるので、職場のトイレに会社の行事や、連絡事、飲食店では今日の特別メニュー等、景色以外のものを挿入しても効果がある。又四季それぞれの風景の写真、ポスターを入れ替えすることで、それらの販売効果にも貢献できる。
マンション、ビル、列車、飲食店、家庭のトイレ等、狭い息苦しい空間に本発明のマドアールを飾ることにより、ひと時の安らぎ、一呼吸の息抜きが生まれる効果がある。
カードケース、ポスターケースを基盤に枠とカーテンをつけるという簡単な構造なので製造コストも安くできるなど、数多くの利点がある。
［発明を実施するための最良の形態］【０００６】  カードケース、ポスターケースの軽量で写真やポスターを簡単に挿入、入れ替えできる利点と、窓枠とカーテンを取り付けるだけで窓のように見せることにより実現した。
【図面の簡単な説明】
【０００７】  ［図１］  本発明のマドアールの斜視図である
［図２］  本発明のマドアールに台を取り付けた斜視図である。
【符号の説明】
【０００８】  １  カードケース、ポスターケース
２  窓枠
３  カーテンレール
４  カーテン
５  カーテン止め
６  取っ手
７  台
【図１】
2005329206.tif 000003
【図２】
2005329206.tif 000004
(57)【要約】【課題】  １本で用途の使い分けができ、隅々まで効率的に洗浄できるトイレブラシ。【解決手段】  ブラシのスポンジ部の周囲にタワシ部を形成させ、取っ手に伸縮機能をもたせた。【選択図】図１
2005329201.tif 000002
【特許請求の範囲】
【請求項１】
スポンジ部分の周囲にタワシ部分を形成したことを特徴とする洗浄ブラシ。
【請求項２】
取っ手が伸び縮みするトイレブラシ。
【発明の詳細な説明】
【技術分野】
【０００１】  本発明はブラシに関するものである。
【背景技術】
【０００２】  従来のトイレ用ブラシにおいて、スポンジ等の材質を使用したものと、タワシ部を使用したものを使い分けて使用しており、汚れにより使い分けているが、２本のブラシが必要で不便であるという問題があった。【０００３】  また、取っ手の長いものは、取っ手が邪魔になり洗いにくい個所ができる問題があった。
【発明の開示】
【発明が解決しようとする課題】
【０００４】  本発明は従来の問題を解決しようとするものであり、トイレを隅々まで効果的に掃除できるブラシを提供することを課題とする。
【課題を解決するための手段】
【０００５】  本発明は上記課題を解決するために、スポンジ部の周囲にタワシ部を形成させた。また、取っ手部分は伸び縮みできる機能をつけた。【０００６】  上記本発明のブラシにより、洗浄能力を高めることができた。【０００７】  そして、洗浄の際、取っ手が邪魔にならないようになった。
【発明の効果】
【０００８】  上述したように本発明のブラシは、便器の面を洗うことに適しているスポンジ部と水流穴等の平面以外の隅を洗うことに適しているブラシ部を形成していることにより、１本で効果的に洗浄ができるようになる。
【発明の実施するための最良の形態】
【０００９】  本発明のブラシ１を図面により説明する。図１はブラシ１の外観図で、中央スポンジ部の周囲にブラシ部が形成されている。
【００１０】  図２は本発明のブラシ１の縦断面図で、先端部に長めのタワシ部を形成した。
【図面の簡単な説明】
【００１１】
【図１】本発明のブラシの外観図
【図２】同ブラシの縦断面図（縮んだ状態の取っ手）
【図３】同ブラシの縦断面図（伸びた状態の取っ手）
【符号の説明】
【００１２】  １  ブラシ
２  スポンジ部
３  タワシ部
４  先端部
５  取っ手
【図１】
2005329201.tif 000003
【図２】
2005329201.tif 000004
【図３】
2005329201.tif 000005
(57)【要約】【課題】高層のマンションで強風に充分耐え、かつ使用しない時には、格納してベランダの有効利用を高めることのできる安全な物干し具を提供するものである。【解決手段】物干し具本体をベランダのフェンスに固定し、この本体に物干し竿支持体を固定し、更にこの支持体と物干し竿支柱管及び物干し竿取付け管を連結する。物干し竿取付け管の中央部に物干し竿取り付け管の支持体を連結する。このような物干し具２基を１組としてベランダに設置し、各物干し具の物干し竿固定具の孔の中に物干し竿を挿入し、締め付けハンドルにより固定するベランダのフェンスを利用した物干し具である。【選択図】      図１
2005329208.tif 000002
【特許請求の範囲】
【請求項１】
物干し具の本体、物干し竿支持体、伸縮可能な物干し竿支柱管及び伸縮可能な支持体を有し、物干し竿固定具を備えた物干し竿取付け管からなることを特徴とするベランダのフェンスを利用した物干し具。
【発明の詳細な説明】
【技術分野】
【０００１】  本発明は、マンションのベランダのフェンスを利用した物干し具に関する。
【背景技術】
【０００２】  従来のマンションのベランダの物干し具は、手摺やフェンスを利用した種々のものが一般的に用いられている。
【特許文献１】実開平７−３４１０４号公報
【発明の開示】
【発明が解決しようとする課題】
【０００３】  従来のマンションのベランダに設置された物干し具は、種々のものがあるが、高層のマンションで強風に充分耐え、かつ使用しない時には、折りたたんでベランダの有効利用を高めることのできる安全な物干し具は見当たらないのが現状である。そこで本発明は、この課題を解決した安全な物干し具を提供するものである。
【課題を解決するための手段】
【０００４】  上記の課題を解決するために、本発明は、物干し具本体をベランダのフェンスに固定し、この本体に固定用ボルトにより物干し竿支持体を固定する。この物干し竿支持体に物干し竿支柱管及び物干し竿取付け管を伸縮管固定具を介して連結する。
物干し竿取付け管の中央部に物干し竿取付け管の支持体を連結する。
このような物干し具を２基を１組としてベランダに設置し、各物干し具の物干し竿固定具の孔の中に物干し竿を挿入し、締め付けハンドルにより固定するベランダのフェンスを利用した物干し具である。
【発明の効果】
【０００５】  本発明のベランダのフェンスを利用した物干し具は、上記のような構成であるから、強風に充分耐え、不使用時、狭いベランダを広く利用することが可能となった。
【発明を実施するための最良の形態】
【０００６】  本発明を実施するための最良の形態を実施例に基づいて説明する。
【実施例１】
【０００７】  以下本発明の実施例を図面に基づいて説明する。図１は本発明のベランダのフェンスを利用した物干し具２０の側面図である。
本体２はフェンス１に本体固定用ハンドル４により締め付け固定される。本体２及び本体支え板３と物干し竿支持体５は固定用ボルト６と締め付けハンドル７及び取り付けナット８により固定される。
伸縮可能な物干し竿支柱管９と物干し竿取付け管１０は伸縮管固定具１４と締め付けハンドル１５を介して連結される。物干し竿取付け管の先端に取り付けた物干し竿固定具１１と締め付けハンドル１２により物干し竿１３が固定される。物干し竿取付け管１０の中央部に連結具１８を介して伸縮可能な支持体１６を連結する。支持体１６と締め付け具１７により竿１３の角度は水平位置から３０度まで持ち上げた位置で固定される。このような状態の２基の物干し具２０を１組として物干し竿１３の両端を物干し竿固定具１１と締め付けハンドル１２により確実に固定する。
図２は本発明のベランダのフェンスを利用した物干し具２０の使用状態を示す側面図である。
図３は本発明のベランダのフェンスを利用した物干し具２０の不使用時の側面図である。
図４は図３の平面図である。
図５は物干し竿固定具１１の詳細側面図である。図６は図５の平面図である。
図面に示すように物干し竿支柱管９と物干し竿取付け管１０を伸縮可能な支持体１６の調整により水平に戻し、次に物干し竿取付け管１０の中に物干し竿支柱管９を格納する。さらに物干し竿支柱管９を格納した物干し竿取付け管１０を図４に示すごとく物干し竿支持体５の回動機構によりフェンス１に平行になるように収納する。
【産業上の利用可能性】
【０００８】  本発明のベランダのフェンスを利用した物干し具は、高層のマンションで強風下でも安全に使用することができる。また不使用時には格納してベランダを広く利用できる。
【図面の簡単な説明】
【０００９】
【図１】本発明のベランダのフェンスを利用した物干し具の側面図である。
【図２】本発明のベランダのフェンスを利用した物干し具の使用状態を示す側面図である。
【図３】本発明のベランダのフェンスを利用した物干し具の不使用時の状態を示す側面図である。
【図４】図３の平面図である。
【図５】物干し竿固定具の詳細側面図である。
【図６】図５の平面図である。
【符号の説明】
【００１０】  １      ベランダのフェンス
２      本体
３      本体支え板
４      本体固定用ハンドル
５      物干し竿支持体
６      固定用ボルト
７      締め付けハンドル
８      取り付けナット
９      物干し竿支柱管
１０      物干し竿取付け管
１１      物干し竿固定具
１２      締め付けハンドル
１３      物干し竿
１４      伸縮管固定具
１５      締め付けハンドル
１６      支持体
１７      締め付け具
１８      連結具
２０      物干し具。
【図１】
2005329208.tif 000003
【図２】
2005329208.tif 000004
【図３】
2005329208.tif 000005
【図４】
2005329208.tif 000006
【図５】
2005329208.tif 000007
【図６】
2005329208.tif 000008